(57)【要約】【課題】梱包体の形で輸送する自動二輪車に不用意に傷が付くのを、簡単な手法でかつ確実に防止する。【解決手段】外装ケース２０内に自動二輪車１０を梱包するに際して、外装ケース２０の床面２１に自動二輪車１０を仮固定した後、自動二輪車１０の傷の付きやすい部分（例えば燃料タンク１４やサドルバック１５）に、樹脂発泡体からなる保護カバー３４，３５，３６を被着する。その後、仮固定した自動二輪車１０を外装ケース２０に対して本固定する。【選択図】図１
2009143572.tif 000002
【特許請求の範囲】
【請求項１】
外装ケース内に自動二輪車を梱包する方法であって、
外装ケースの床面に自動二輪車を仮固定する工程と、
梱包する自動二輪車の一部に樹脂発泡体からなる保護カバーを被着する工程と、
仮固定した自動二輪車を外装ケースに対して本固定する工程と、
を少なくとも含むことを特徴とする自動二輪車の梱包方法。
【請求項２】
樹脂発泡体からなる保護カバーを被着するに際し、保護カバーを外装ケース側には固定しない状態で自動二輪車の一部に被着することを特徴とする請求項１に記載の自動二輪車の梱包方法。
【請求項３】
樹脂発泡体からなる保護カバーを被着する部位は、梱包する自動二輪車における少なくとも塗装が施された部位を含むことを特徴とする請求項１または２に記載の自動二輪車の梱包方法。
【請求項４】
樹脂発泡体からなる保護カバーを被着する部位が、燃料タンクまたはサドルバックの塗装領域を少なくとも含むことを特徴とする請求項１から３のいずれかに記載の自動二輪車の梱包方法。
【請求項５】
外装ケースを用いた自動二輪車梱包体であって、梱包した自動二輪車の一部に樹脂発泡体からなる保護カバーが被着されていることを特徴とする自動二輪車梱包体。
【請求項６】
被着された保護カバーは外装ケース側には固定されないことを特徴とする請求項５に記載の自動二輪車梱包体。
【請求項７】
梱包した自動二輪車における少なくとも塗装が施された部位に樹脂発泡体からなる保護カバーが被着されていることを特徴とする請求項５または６に記載の自動二輪車梱包体。
【請求項８】
請求項５から７のいずれか１項に記載の自動二輪車梱包体で用いる樹脂発泡体からなる保護カバーであって、内面形状は被着する部分の外形にほぼ沿った形状であり、かつ自己の変形により被着する部分の形状変化点をとらえて被着した部分から自由には離脱しない形状とされていることを特徴とする樹脂発泡体からなる自動二輪車用保護カバー。
【発明の詳細な説明】
【技術分野】
【０００１】
本発明は、自動二輪車を外装ケース内に梱包する方法および自動二輪車梱包体、ならびにそこで用いる自動二輪車用保護カバーに関する。
【背景技術】
【０００２】
自動二輪車を海外に輸出する際などに、組み上がった自動二輪車を外装ケース内に収容して梱包体とし、それが輸送に付される。そのような梱包体の一例として、例えば特許文献１には、前輪あるいはフロントフェンダー等を取り外すことなく自動二輪車が組上った状態のままで梱包でき、かつコンテナの規格に合うような寸法にできるようにした自動二輪車の梱包体が記載されている。
【０００３】
【特許文献１】特開平６−２６３１７９号公報
【発明の開示】
【発明が解決しようとする課題】
【０００４】
自動二輪車を外装ケースに梱包するにあたっては、クレーンやフォークリスト等による持ち上げと移動、外装ケース内への落とし込みとケース床面および支柱へのバンド等による固定等、多くの作業が行われる。梱包を開放するときにも、同等な作業が行われる。このような作業時に、梱包用の機材が不用意に自動二輪車に衝接するのを完全には避けることができない。また、梱包された自動二輪車を輸送するときに、周囲に存在するものが、自動二輪車に不用意に衝接することも起こり得る。
【０００５】
梱包時や開包時に、あるいは輸送の過程で、このような不測の事態が起こると、自動二輪車に傷が付く恐れがあり、高意匠性も価値評価の１つとされる自動二輪車においては、極力回避することが求められる。
【０００６】
本発明は、上記のような事情に鑑みてなされたものであり、梱包時や開放時、あるいは輸送時等に梱包した自動二輪車に不測に傷が付くのを簡単な手段で効果的に回避することのできる自動二輪車の梱包方法および梱包体を提供することを課題とする。また、そこで用いる自動二輪車用保護カバーを提供することを課題とする。
【課題を解決するための手段】
【０００７】
本願発明による自動二輪車の梱包方法は、外装ケース内に自動二輪車を梱包する方法であって、外装ケースの床面に自動二輪車を仮固定する工程と、梱包する自動二輪車の一部に樹脂発泡体からなる保護カバーを被着する工程と、仮固定した自動二輪車を外装ケースに対して本固定する工程と、を少なくとも含むことを特徴とする。
【０００８】
上記の方法では、外装ケースの床面に仮固定してある自動二輪車の必要な箇所に樹脂発泡体からなる保護カバーを被着することを付加的に行うのみで、少なくとも保護カバーを被着した領域に、外力によって不測に傷が付くのを効果的に回避することができる。
【０００９】
本願発明による自動二輪車の梱包方法の好ましい形態では、樹脂発泡体からなる保護カバーを被着するに際し、保護カバーを外装ケース側には固定しない状態で自動二輪車の一部に被着することを特徴とする。
【００１０】
この形態では、梱包された自動二輪車と外装ケースとの間に輸送中に相対的な位置ずれ等が生じても、保護カバーには外装ケースからの負荷が掛からないので、自動二輪車に傷が付くのをさらに効果的に回避することができる。
【００１１】
本願発明による自動二輪車の梱包方法の一形態では、樹脂発泡体からなる保護カバーを被着する部位は、梱包する自動二輪車における少なくとも塗装が施された部位であることを特徴とする。限定されるものではないが、より具体的には、燃料タンクまたはサドルバックの塗装領域が挙げられる。
【００１２】
自動二輪車において、塗装が施された箇所は、外力が掛かったときに塗装落ち、すなわち傷が付きやすいところであり、このような箇所に限定して樹脂発泡体からなる保護カバーを被着することにより、低コストかつ少ない作業量で、高い保護効果を上げることができる。特に、燃料タンクやサドルバックに傷が付くことは、使用者が最も嫌うところであり、この部分に樹脂発泡体からなる保護カバーを被着することは実用上の高い効果がもたらされる。もちろん、本発明において、カバーを被着する箇所は任意であり、他に、カウル部分や車輪のディスクブレーキ部分等に保護カバーを取り付けるようにしてもよい。
【００１３】
本発明は、さらに、外装ケースを用いた自動二輪車梱包体であって、梱包した自動二輪車の一部に樹脂発泡体からなる保護カバーが被着されていることを特徴とする自動二輪車梱包体も開示する。
【００１４】
上記の自動二輪車梱包体において、好ましくは、被着された保護カバーは外装ケース側には固定されない状態とされる。また、梱包した自動二輪車における少なくとも塗装が施された部位に樹脂発泡体からなる保護カバーが被着される。上記の各自動二輪車梱包体が奏する作用効果は、梱包方法で述べたとおりである。
【００１５】
本発明は、さらに、上記の各発明で用いる樹脂発泡体からなる保護カバーであって、内面形状は被着する部分の外形にほぼ沿った形状であり、かつ自己の変形により被着する部分の形状変化点をとらえて被着した部分から自由には離脱しない形状とされていることを特徴とする樹脂発泡体からなる自動二輪車用保護カバーをも開示する。
【００１６】
この形態の自動二輪車用保護カバーは、所要の箇所に容易に装着することができ、かつ不用意に離脱することはない。また、必要なときには、容易に取り外すことができる。そのために、梱包作業の容易化が促進される。
【００１７】
本発明において、自動二輪車用保護カバーを構成する発泡樹脂に特に制限はないが、成形性やリサイクル性に優れることや経済性の観点から、発泡ポリスチレン系樹脂は好ましい。発泡倍率は５０倍（０．０２０ｇ／Ｌ）程度であることが、緩衝性と軽量性の双方を満足することから好ましい。保護カバーの肉厚は、発泡倍率５０倍程度の場合において、１５ｍｍ程度以上であることが望ましい。１５ｍｍよりも薄い場合には、保護カバーが破損するか、外力を分散できずに自動二輪車側に傷を付けてしまう恐れがある。
【発明の効果】
【００１８】
本発明によれば、梱包体の形で輸送する自動二輪車に不用意に傷が付くのを、簡単な手法でかつ確実に防止することができる。
【発明を実施するための最良の形態】
【００１９】
図面を参照して、本発明を実施の形態に基づき説明する。図１は本発明による自動二輪車の梱包方法および梱包体をその手順と共に説明する図であり、図２はそこで用いる自動二輪車用保護カバーの一例を説明する図である。
【００２０】
図１（ｃ）は、本発明による梱包方法によって梱包された自動二輪車梱包体の一例を側面から見て示している。自動二輪車１０は、床面２１と床面２１から立ち上がる縦支柱２２と縦支柱２２の上端側を固定する上枠２３とで構成される外装ケース２０内に収納され、該外装ケース２０を利用して自由には移動しない状態に梱包されている。
【００２１】
図１（ａ）と図１（ｂ）は、上記の梱包体となるまでの各工程を示す。なお、図１（ａ）および（ｂ）では、単に図のわかりやすさの観点から、縦支柱２２と上枠２３の図示を省略している。
【００２２】
梱包にあたっては、プールされている自動二輪車群から、一台の自動二輪車１０が図示しないクレーン等で揚上され、上方が開放した状態の外装ケース２０内に、上方から落とし込まれる。自動二輪車１０は外装ケース２０の床面２１に適宜の手段により仮固定される。図１に示す例では、前輪タイヤ１１が本体から取り外されて外装ケース２０内に収納されているが、前輪タイヤ１１を付けた状態で梱包されることもある。
【００２３】
床面２１には、フロントフォーク１２を固定するため第１の金属製固定材２４や、後輪タイヤ１３を収納し固定するための第２の金属製固定材２５が取り付けてあり、自動二輪車１０の仮固定を補助している。また、床面２１には、取り外した前輪タイヤ１１を収納するための発泡樹脂成形品である収納ボックス２６が置かれており、該収納ボックス２６に前輪タイヤ１１を収容した後、固定用テープ等で前輪タイヤ１１を縦支柱２２に結びつけることによって、前輪タイヤ１１を容易に固定し、かつ損傷を防いでいる。
【００２４】
本発明による梱包方法においては、そのようにして仮固定された自動二輪車１０の一部に対して、樹脂発泡体からなる保護カバーを被着する。図示の例では、燃料タンク１４、サドルバック１５、および前輪に付設するブレーキパッド１６に対して、保護カバー３４，３５，３６を被着するようにしている。特に、燃料タンク１４やサドルバック１５は塗装された領域を有しており、塗装箇所に外力が加わると傷が付きやすいので、図示の例では、燃料タンク１４やサドルバック１５は塗装された領域を少なくとも覆うことができる形状と大きさの保護カバー３４，３５を用いており、また、ブレーキパッド１６に対しては、ほぼその全体を覆うことができる形状と大きさの保護カバー３６を用いている。
【００２５】
図２は、燃料タンク１４の塗装領域を被覆するための保護カバー３４の概略斜視図であり、ここでは、発泡倍率は５０倍の発泡ポリスチレン系樹脂を用いている。保護カバー３４の平均厚さは略２０ｍｍである。この保護カバー３４の内面形状は被着する部分である燃料タンク１４の塗装部分の外形にほぼ沿った形状とされている。図示される保護カバー３４は、燃料タンク１４に上から被着するために、作業者が手で左右（矢印ａの方向）に幾分押し広げた状態を示しており、燃料タンク１４に被着した後、手を離す（すなわち、外力を開放する）ことにより、発泡樹脂が持つ自己の弾性により矢印ｂ方向に変形し、その変形により被着した部分の形状変化点（アンダー部分等）を把持する姿勢となり、被着した部分から自由には離脱しない状態となる。また、この保護カバー３４は長手方向の保形性を確保するために縦リブ３７を有しているが、保護カバーの本体部が所要の保形性を備える場合には、このような縦リブは不要である。
【００２６】
図示しないが、保護カバー３５は、内面形状がサドルバック１５の少なくとも塗装部分の外形にほぼ沿った形状とされており、保護カバー３６の内側は、ブレーキパッド１６を内部に収容できる形状となっている。
【００２７】
図１（ａ）に示すように、前輪タイヤ１１が取り外された状態で床面２１に仮固定された自動二輪車１０の燃料タンク１４、サドルバック１５に対して、その上方から保護カバー３４，３５を被着し、さらに、収納ボックス２６に収納された前輪タイヤ１１のブレーキパッド１６部分に保護カバー３６を被着する。その状態が図１（ｂ）に示される。なお、図示しないが、前記保護カバー３６はその一部が収納ボックス２６内に入り込み、収納ボックス２６と一体化するようにされている。
【００２８】
その状態で、図示しない固定用テープ等により、自動二輪車１０の所要箇所を縦支柱２２に結びつけることにより、自動二輪車１０を外装ケース２０に対して本固定され、図１（ｃ）に示す、自動二輪車梱包体Ａが完成する。
【００２９】
図示の自動二輪車梱包体Ａでは、梱包された自動二輪車１０における少なくとも塗装が施された部位（燃料タンク１４やサドルバック１５）が、さらにはブレーキパット１６の部分が、樹脂発泡体からなる保護カバー３４，３５，３６によって保護されているので、梱包時や開放時、あるいは輸送時に、外力によってそれらの部分に不測に傷が付くのを回避することができる。また、保護カバー３４，３５，３６は外装ケース２０側には直接的に固定されていないので、各保護カバーに外装ケース２０からの負荷が掛かることはない。そのために、輸送中等に、振動等により自動二輪車１０がわずかに移動する場合でも、外装ケース２０からの外力によって傷が付くのも回避することができる。
【００３０】
なお、上記した実施の形態はあくまでも１つの例にすぎず、本発明はこれに限らない。樹脂発泡体からなる保護カバーを被着する部分は、上記の例に限らず、例えばカウルの部分やマフラーの部分等、任意の部分を含めてもよい。実際の梱包時における作業量の多寡、コスト高低、等を勘案して、適宜選択すればよい。
【図面の簡単な説明】
【００３１】
【図１】本発明による自動二輪車の梱包方法および梱包体をその手順と共に説明する図。
【図２】そこで用いる自動二輪車用保護カバーの一例を説明する図。
【符号の説明】
【００３２】
１０…自動二輪車、１１…前輪タイヤ、１２…フロントフォーク、１３…後輪タイヤ、１４…燃料タンク、１５…サドルバック、１６…ブレーキパッド、２０…外装ケース、２１…床面、２２…縦支柱、２３…上枠、２４…第１の金属製固定材、２５…第２の金属製固定材、２６…前輪タイヤ収納ボックス、３４，３５，３６…保護カバー、３７…保護カバーの縦リブ
【図１】
2009143572.tif 000003
【図２】
2009143572.tif 000004